(57)【要約】 【課題】 高解像度の液晶表示装置において設けられる回路基板の数の増加に対応し、フレキシブル回路基板とプリント基板とを収納効率よく収納し、液晶表示装置の高画質の表示を実現すると同時に、液晶表装置の機械的な信用度を高めるバックライトモジュール及び液晶表示装置を提供する。【解決手段】  バックフレームと支持フレームとを含んでなるバックライトモジュールにおいて、該バックフレームが該支持フレーム上に設けられ、かつ該支持フレームに接続して固定されるとともに、該バックフレームと該支持フレームとの間にフレキシブル回路基板と、該フレキシブル回路基板に接続するプリント基板とを収納する収納チャンバーを形成する【選択図】 図１
2016539453.tif 000002
【特許請求の範囲】
【請求項１】
バックフレームと支持フレームとを含んでなるバックライトモジュールであって、
該バックフレームが該支持フレーム上に設けられ、かつ該支持フレームに接続して固定されるとともに、該バックフレームと該支持フレームとの間にフレキシブル回路基板と、該フレキシブル回路基板に接続するプリント基板とを収納する収納チャンバーを形成することを特徴とするバックライトモジュール。
【請求項２】
前記支持フレームの側壁と該バックフレームの側壁との間に該収納チャンバーを形成することを特徴とする請求項１に記載のバックライトモジュール。
【請求項３】
前記支持フレームの底板の該バックフレームの側壁に近接した部分が、該バックフレームの底板から離れる方向に沿って凸起して該収納チャンバーを形成することを特徴とする請求項１に記載のバックライトモジュール。
【請求項４】
前記支持フレームの底板の該バックフレームから離れる側壁の一部が該バックフレームの底板に貼り合わさり、かつ支持フレームの底板の該バックフレームから離れる側壁の部分に第２貫通孔を穿設し、該バックフレームの底板の該第２貫通孔に対応する位置に固定孔を穿設し、かつ固定部材を該第貫通孔と該固定孔の順に挿通して該支持フレームの底板と該バックフレームの底板とを接続し、固定することを特徴とする請求項１に記載のバックライトモジュール。
【請求項５】
前記支持フレームの底板の該バックフレームから離れる側壁の部分に、さらに第１貫通孔を穿設し、該バックフレームの底板の該第１貫通孔に対応する位置に接続孔を穿設し、該第２貫通孔が該第１貫通孔に連通し、該第２貫通孔の該第１貫通孔に至る方向が該バックフレームの側壁の存在する平面に対して垂直になり、かつ該第１貫通孔が該バックフレームの側壁にさらに近接し、該第１貫通孔と該接続孔の順に可動接続部材を挿通して該支持フレームの底板と該バックフレームの底板とを接続するとともに、該支持フレームが該バックフレームの側壁から該支持フレームの側壁の方向に移動するように構成することを特徴とする請求項４に記載のバックライトモジュール。
【請求項６】
前記可動接続部材が、段階式のねじ釘であって、該段階式のねじ釘の中間部に螺刻せず、かつ該段階式のねじ釘の中間部の高さが該支持フレームの底板の厚さより高いことを特徴とする請求項５に記載のバックライトモジュール。
【請求項７】
前記バックライトモジュールがさらにフレームを具え、該フレームの側壁が該収納チャンバー内に設けられ、かつ該バックフレームの側壁に接続して固定されるとともに、該フレームの側壁の端縁部が該バックフレームから該支持フレームの側壁に至る方向に沿って延伸して支持テーブルを形成し、該支持テーブルが該フレキシブル回路基板と、該フレキシブル回路基板に該接続するプリント基板と、を支持することを特徴する請求項２に記載のバックライトモジュール。
【請求項８】
バックライトモジュールと、該バックライトモジュール上に設ける液晶パネルと、外フレームとを含んでなり、
該外フレームのフレーム側部が該液晶パネルを該バックライト上に押圧し、かつ該外フレームの側壁が該バックライトモジュール内の該支持フレームの側壁に接続して固定されて該液晶パネルと該バックライトモジュールとが固定され、該バックライトモジュールがバックフレームと支持フレームとを含んでなり、かつ該バックフレームと該支持フレームとの間にフレキシブル回路基板と、該フレキシブル回路基板に接続するプリント基板とを収納する収納チャンバーを形成することを特徴とする液晶表示装置。
【請求項９】
前記支持フレームの側壁と該バックフレームの側壁との間に該収納チャンバーを形成することを特徴とする請求項８に記載の液晶表示装置。
【請求項１０】
前記支持フレームの底板の該バックフレームの側壁に近接した部分が、該バックフレームの底板から離れる方向に沿って凸起して該収納チャンバーを形成することを特徴とする請求項８に記載の液晶表示装置。
【請求項１１】
前記支持フレームの底板の該バックフレームから離れる側壁の部分バックフレームに貼り合わさり、かつ支持フレームの底板の該バックフレームから離れる側壁の部分に第２貫通孔を穿設し、該バックフレームの底板の該第２貫通孔に対応する位置に固定孔を穿設し、かつ固定部材を該第貫通孔と該固定孔の順に挿通して該支持フレームの底板と該バックフレームの底板とを接続し、固定することを特徴とする請求項８に記載の液晶表示装置。
【請求項１２】
前記支持フレームの底板の該バックフレームから離れる側壁の部分に、さらに第１貫通孔を穿設し、該バックフレームの底板の該第１貫通孔に対応する位置に接続孔を穿設し、該第２貫通孔が該第１貫通孔に連通し、該第２貫通孔の該第１貫通孔に至る方向が該バックフレームの側壁の存在する平面に対して垂直になり、かつ該第１貫通孔が該バックフレームの側壁にさらに近接し、該第１貫通孔と該接続孔の順に可動接続部材を挿通して該支持フレームの底板と該バックフレームの底板とを接続するとともに、該支持フレームが該バックフレームの側壁から該支持フレームの側壁の方向に移動するように構成することを特徴とする請求項１１に記載の液晶表示装置。
【請求項１３】
前記可動接続部材が、段階式のねじ釘であって、該段階式のねじ釘の中間部に螺刻せず、かつ該段階式のねじ釘の中間部の高さが該支持フレームの底板の厚さより高いことを特徴とする請求項１２に記載の液晶表示装置。
【請求項１４】
前記バックライトモジュールがさらにフレームを具え、該フレームの側壁が該収納チャンバー内に設けられ、かつ該バックフレームの側壁に接続して固定されるとともに、該フレームの側壁の端縁部が該バックフレームから該支持フレームの側壁に至る方向に沿って延伸して支持テーブルを形成し、該支持テーブルが該フレキシブル回路基板と、該フレキシブル回路基板に該接続するプリント基板と、を支持することを特徴する請求項９に記載の液晶表示装置。
【請求項１５】
前記外フレームの側壁と該支持フレームの側壁とにねじ釘を螺着して接続し、固定されることを特徴とする請求項８に記載の液晶表示装置。
【請求項１６】
前記支持フレームの側壁に係合フックを形成し、該外フレームの側壁の該係合フックに対応する位置に係合孔を穿設し、該係合フックと該係合孔とが係合して固定され、該外フレームの側壁と該支持フレームの側壁とが接続し、固定することを特徴とする請求項８に記載の液晶表示装置。
【発明の詳細な説明】
【技術分野】
【０００１】
この発明は液晶表示技術に関し、具体的には、バックライトモジュールと液晶表示装置に関する。
【背景技術】
【０００２】
液晶表示装置（Ｌｉｑｕｉｄ Ｃｒｙｓｔａｌ Ｄｉｓｐｌａｙ，ＬＣＤ）は、装置がスリムで、節電でき、電磁波の放射が少なく、画面における画像の表現が柔和で目に優しいなどといった多くの長所を有する。このため、ますます広くに応用されている。一方、消費者がよりくっきりした高画質ビュア―をニーズとして追い求めたことから、目下解像度が４Ｋに達した液晶表示装置が開発され、消費者にこれまでにない高画質ビュア―を提供している。この種の高画質の液晶表示装置はますます歓迎を受けている。よって、さらに高い解像度の液晶表示装置を提供するために、一部の製造業者は解像度が８ｋにまで達する液晶表示の研究に着手している。
【０００３】
技術の絶え間ない発展によって、将来的にはさらに高い解像度の液晶表示装置が生まれるであろう。解像度が倍数で向上するとともに、液晶表示装置の液晶パネルによる表示のフレキシブル回路基板の数も増加し、フレキシブル回路基板が液晶パネルのソースに密接して配置されることになり、機構をデザインする上で制限を受けることになる。例えば、螺旋を描いて分布させるなどである。
【発明の概要】
【発明が解決しようとする課題】
【０００４】
この発明は、高解像度の液晶表示装置において設けられる回路基板の数の増加に対応し、フレキシブル回路基板とプリント基板とを収納効率よく収納し、液晶表示装置の高画質の表示を実現すると同時に、液晶表装置の機械的な信用度を高めるバックライトモジュール及び液晶表示装置を提供することを課題とする。
【課題を解決するための手段】
【０００５】
そこで、本発明者は従来の液晶表示技術に見られる欠点に鑑み鋭意研究を重ねた結果、バックフレームと支持フレームとを含んでなるバックライトモジュールであって、該バックフレームが該支持フレーム上に設けられ、かつ該支持フレームに接続して固定されるとともに、該バックフレームと該支持フレームとの間にフレキシブル回路基板と、該フレキシブル回路基板に接続するプリント基板とを収納する収納チャンバーを形成するバックライトモジュールと、係るバックライトモジュールを具える液晶表示装置によって課題を解決できる点に着眼し、係る知見に基づいて本発明を完成させた。
【０００６】
以下、この発明について説明する。請求項１に記載するバックライトモジュールは、バックフレームと支持フレームとを含んでなるバックライトモジュールであって、
該バックフレームが該支持フレーム上に設けられ、かつ該支持フレームに接続して固定されるとともに、該バックフレームと該支持フレームとの間にフレキシブル回路基板と、該フレキシブル回路基板に接続するプリント基板とを収納する収納チャンバーを形成する。
【０００７】
請求項２に記載するバックライトモジュールは、請求項１における支持フレームの側壁と該バックフレームの側壁との間に該収納チャンバーを形成する。
【０００８】
請求項３に記載するバックライトモジュールは、請求項１における支持フレームの底板の該バックフレームの側壁に近接した部分が、該バックフレームの底板から離れる方向に沿って凸起して該収納チャンバーを形成する。
【０００９】
請求項４に記載するバックライトモジュールは、請求項１における支持フレームの底板の該バックフレームから離れる側壁の一部分が該バックフレームの底板に貼り合わさり、かつ支持フレームの底板の該バックフレームから離れる側壁の部分に第２貫通孔を穿設し、該バックフレームの底板の該第２貫通孔に対応する位置に固定孔を穿設し、かつ固定部材を該第貫通孔と該固定孔の順に挿通して該支持フレームの底板と該バックフレームの底板とを接続し、固定する。
【００１０】
請求項５に記載するバックライトモジュールは、請求項４における支持フレームの底板の該バックフレームから離れる側壁の部分に、さらに第１貫通孔を穿設し、該バックフレームの底板の該第１貫通孔に対応する位置に接続孔を穿設し、該第２貫通孔が該第１貫通孔に連通し、該第２貫通孔の該第１貫通孔に至る方向が該バックフレームの側壁の存在する平面に対して垂直になり、かつ該第１貫通孔が該バックフレームの側壁にさらに近接し、該第１貫通孔と該接続孔の順に可動接続部材を挿通して該支持フレームの底板と該バックフレームの底板とを接続するとともに、該支持フレームが該バックフレームの側壁から該支持フレームの側壁の方向に移動するように構成する。
【００１１】
請求項６に記載するバックライトモジュールは、請求項５における可動接続部材が、段階式のねじ釘であって、該段階式のねじ釘の中間部に螺刻せず、かつ該段階式のねじ釘の中間部の高さが該支持フレームの底板の厚さより高い。
【００１２】
請求項７に記載するバックライトモジュールは、請求項２におけるバックライトモジュールがさらにフレームを具え、該フレームの側壁が該収納チャンバー内に設けられ、かつ該バックフレームの側壁に接続して固定されるとともに、該フレームの側壁の端縁部が該バックフレームから該支持フレームの側壁に至る方向に沿って延伸して支持テーブルを形成し、該支持テーブルが該フレキシブル回路基板と、該フレキシブル回路基板に該接続するプリント基板と、を支持する。
【００１３】
請求項８に記載する液晶表示装置は、バックライトモジュールと、該バックライトモジュール上に設ける液晶パネルと、外フレームとを含んでなり、
該外フレームのフレーム側部が該液晶パネルを該バックライト上に押圧し、かつ該外フレームの側壁が該バックライトモジュール内の該支持フレームの側壁に接続して固定されて該液晶パネルと該バックライトモジュールとが固定され、該バックライトモジュールがバックフレームと支持フレームとを含んでなり、かつ該バックフレームと該支持フレームとの間にフレキシブル回路基板と、該フレキシブル回路基板に接続するプリント基板とを収納する収納チャンバーを形成する。
【００１４】
請求項９に記載する液晶表示装置は、請求項８における支持フレームの側壁と該バックフレームの側壁との間に該収納チャンバーを形成する。
【００１５】
請求項１０に記載する液晶表示装置は、請求項８における支持フレームの底板の該バックフレームの側壁に近接した部分が、該バックフレームの底板から離れる方向に沿って凸起して該収納チャンバーを形成する。
【００１６】
請求項１１に記載する液晶表示装置は、請求項８における支持フレームの底板の該バックフレームから離れる側壁の部分バックフレームに貼り合わさり、かつ支持フレームの底板の該バックフレームから離れる側壁の部分に第２貫通孔を穿設し、該バックフレームの底板の該第２貫通孔に対応する位置に固定孔を穿設し、かつ固定部材を該第貫通孔と該固定孔の順に挿通して該支持フレームの底板と該バックフレームの底板とを接続し、固定する。
【００１７】
請求項１２に記載する液晶表示装置は、請求項１１における支持フレームの底板の該バックフレームから離れる側壁の部分に、さらに第１貫通孔を穿設し、該バックフレームの底板の該第１貫通孔に対応する位置に接続孔を穿設し、該第２貫通孔が該第１貫通孔に連通し、該第２貫通孔の該第１貫通孔に至る方向が該バックフレームの側壁の存在する平面に対して垂直になり、かつ該第１貫通孔が該バックフレームの側壁にさらに近接し、該第１貫通孔と該接続孔の順に可動接続部材を挿通して該支持フレームの底板と該バックフレームの底板とを接続するとともに、該支持フレームが該バックフレームの側壁から該支持フレームの側壁の方向に移動するように構成する。
【００１８】
請求項１３に記載する液晶表示装置は、請求項１２における可動接続部材が、段階式のねじ釘であって、該段階式のねじ釘の中間部に螺刻せず、かつ該段階式のねじ釘の中間部の高さが該支持フレームの底板の厚さより高い。
【００１９】
請求項１４に記載する液晶表示装置は、請求項９におけるバックライトモジュールがさらにフレームを具え、該フレームの側壁が該収納チャンバー内に設けられ、かつ該バックフレームの側壁に接続して固定されるとともに、該フレームの側壁の端縁部が該バックフレームから該支持フレームの側壁に至る方向に沿って延伸して支持テーブルを形成し、該支持テーブルが該フレキシブル回路基板と、該フレキシブル回路基板に該接続するプリント基板と、を支持する。
【００２０】
請求項１５に記載する液晶表示装置は、請求項８における外フレームの側壁と該支持フレームの側壁とにねじ釘を螺着して接続し、固定される。
【００２１】
請求項１６に記載する液晶表示装置は、請求項８における支持フレームの側壁に係合フックを形成し、該外フレームの側壁の該係合フックに対応する位置に係合孔を穿設し、該係合フックと該係合孔とが係合して固定され、該外フレームの側壁と該支持フレームの側壁とが接続し、固定する。
【図面の簡単な説明】
【００２２】
【図１】この発明の実施例１の液晶表示装置の構造を示した説明図である。
【図２】この発明の実施例１における支持フレームの底板の構造を示した説明図である。
【図３】この発明の実施例２の液晶表示装置の構造を示した説明図である。
【図４】この発明の実施例３の液晶表示装置の構造を示した説明図である。
【図５】この発明の実施例４の液晶表示装置の構造を示した説明図である。
【発明を実施するための形態】
【００２３】
この発明は、高解像度の液晶表示装置において設けられる回路基板の数の増加に対応し、フレキシブル回路基板とプリント基板とを収納効率よく収納し、液晶表示装置の高画質の表示を実現すると同時に、液晶表装置の機械的な信用度を高めるバックライトモジュール及び液晶表示装置を提供するものであって、該バックライトモジュールは、バックフレームと支持フレームとを含んでなり、該バックフレームが該支持フレーム上に設けられ、かつ該支持フレームに接続して固定されるとともに、該バックフレームと該支持フレームとの間にフレキシブル回路基板と、該フレキシブル回路基板に接続するプリント基板と、を収納する収納チャンバーを形成する。バックライトモジュール及び液晶表示装置の特徴を説明するために、具体的な実施例を挙げ、図面を参照にして以下に詳述する。
【００２４】
なお、この発明の実施例を詳述するために、添付する図面に実施例を例示するが、同様の符号は始終同一の部材を表示する。また、はっきりと説明するために、層とエリアの厚さを拡大する。以下の説明においては、周知の構造及び／もしくは機能に係る不必要な説明によってこの発明の構想が曖昧になることを避けるために、周知の構造及び／もしくは機能に係る不必要な詳述は省く。
【実施例１】
【００２５】
図１はこの発明の実施例１による液晶表示装置の構造を示した説明図である。
【００２６】
図１に開示するように、実施例１の提供する液晶表示装置は、液晶パネル１０とバックライトモジュール２０とを含んでなる。液晶パネル１０はバックライト２０の上方か、又はバックライトモジュール２０に対向して設ける。
【００２７】
バックライトモジュール２０は液晶パネル１０に光源を提供し、液晶表示パネル１０はバックライトモジュール２０が提供する光線によって画像を表示する。液晶パネル１０とバックライトモジュール２０との具体的な固定方式は、後述のバックライトモジュール２０に対する説明において合わせ詳述する。この発明における液晶パネル１０は従来の技術による液晶パネルを用いることができる。その具体的な内容に関しては、関連する従来の技術から知り得ることができるので、ここでは詳述しない。
【００２８】
以下、この実施例におけるバックライトモジュール２０について説明する。
【００２９】
図１に開示するように、この発明の実施例１のバックライトモジュール２０は、導光板２１と、光源ユニット２２と、バックフレーム２４と、リフレクタ２５と、光学フィルム２６と、フレーム２７とを含んでなる。具体的に言えば、導光板２１はバックフレーム２４内に設けられ、光線入射面２１１と出光面２１２と、及び出光面２１２に対応する底面２１３とを具える。光源ユニット２２は光線入射面２１１に近接した位置に設け、光源ユニット２２が照射した光線は光線入射面２１１を通過して導光板２１に進入し、かつ導光板２１において均一に拡散して出光面２１２から出光する。リフレクタ２５は底面２１３とバックフレーム２４との間に設け、底面２１３から出光する光線を反射して導光板２１に戻し、光線の利用率を高める。光学フィルム２６は出光面２１２上に設け、出光面２１２から出光する光線の均一度、輝度、色度などを改善する。フレーム２７は、バックフレーム２４に固定して結合させて、光学フィルム２６と、導光板２１とリフレクタ２５とをバックフレーム２４内に固定する。
【００３０】
背景技術で述べたとおり、この発明による液晶表示装置は高画質の表示が可能であるため（例えば４Ｋ、甚だしくは８Ｋにまで達する）、液晶パネルを駆動して表示させるフレキシブル回路基板３０（例えばＣＯＦ、Ｃｈｉｐ Ｏｎ Ｆｉｌｍ）とプリント基板４０（ＰＣＢ）の数も倍増する。数が倍増」するフレキシブル回路基板３０とプリント基板４０を収納し、かつフレキシブル回路基板３０とプリント基板４０とを接続するために、この発明の実施例１では、バックライトモジュール２０が支持フレーム２３をさらに含む。バックフレーム２４を支持フレーム２３の上に設け、かつ支持フレーム２３に固定して連結するとともに、バックフレーム２４の側壁２４１と支持フレーム２３の側壁２３１との間に収納チャンバー５０を形成する。収納チャンバー５０は数が倍増したフレキシブル回路基板３０とプリント基板４０とを収納するために用いる。
【００３１】
収納チャンバー５０に収納したフレキシブル回路基板３０とプリント基板４０とを支持するために、優先的にフレーム２７の側壁２７１が収納チャンバー５０内に設けられ、かつバックフレーム２４の側壁２４１が接続し、固定され、フレーム２７の側壁２７１の端縁部がバックフレーム２４の側壁２４１から支持フレーム２３の側壁２３１の方向（即ち、図１に開示するｘの方向）に沿って延伸して支持テーブル２７２を形成する。支持テーブル２７２はフレキシブル回路基板３０と、フレキシブル基板３０が接続するプリント基板４０と、を支持する。
【００３２】
支持フレーム２３をバックフレーム２４に固定するために、優先的に、支持フレーム２３の底板２３２に第２貫通孔２３３を穿設し、かつバックフレーム２４の底板２４２の第２貫通孔２３３に対応する位置に固定孔２４３を穿設する。第２貫通孔２３３と固定孔２４３との位置を合わせた後、固定部材８０を第２貫通孔２３３と固定孔３４２に挿通し、支持フレーム２３の底板２３２とバックフレーム２４の底板２４２とを接続して固定する。ここにおいて、組立て、取り外しの便宜を図るために、固定部材８０は、優先的にねじ釘とする。但し、この発明においては、係る形態に限定しない。例えばリベット、またはボルトとナットの組み合わせであってもよい。
【００３３】
図１、２に開示するように、支持フレーム２３がバックフレーム２４に対応して移動し、フレキシブル回路基板３０とプリント基板４０とを収納チャンバー５０に収納する過程の操作が簡易化するように、優先的に、支持フレーム２３の底板２３２に第１貫通孔２３４を穿設し、かつバックフレーム２４の底板２４２には、第１貫通孔２３４に対応する位置に接続孔２４４を穿設する。第２貫通孔２３３と第１貫通孔２３４は連通し、且つ第２貫通孔２３３は第１貫通孔２３４の方向（即ち図１に開示するｘの方向）に至り、バックフレーム２４の存在する平面に対して垂直になる。しかも、第１貫通孔２３４は第２貫通孔２３３よりも更にバックフレーム２４の側壁２４１に近接する。第１貫通孔２３４と接続孔２４４との位置を合わせた後、可動接続部材６０を第１貫通孔２３４、接続孔２４４の順に挿通させ、支持フレーム２３の底板２３２とバックフレーム２４の底板２４２を可動状態にして接続する。このため、支持フレーム２３はバックフレーム２４の側壁２４１から支持フレーム２３の側壁２３１に至る方向上（即ち、図１に開示するｘの方向）で移動する。
【００３４】
実施例においては、優先的に、可動接続部材６０は段階式のねじ釘である。該段階式のねじ釘は、前部６１に螺刻し、中間部６２には螺刻しない。また、該段階式ねじ釘の中間部６２の高さは支持フレーム２３の底板２３２の厚さより高くする。該段階式ねじ釘は、第１貫通孔２３４、接続孔２４４の順に挿通した後、その前部６１の通過したねじ山が接続孔２４４のねじ山に螺合する。その頭部６３の面積は第１貫通孔２３４の面積より広く、頭部６３と前部６１との組み合わせで支持フレーム２３の底板２３２とバックフレーム２４の底板２４２とを接続する。中間部６１の高さは支持フレーム２３の底板２３２の厚さより高くするため、支持フレーム２３の底板２３２とバックフレーム２４の底板２４２は緊密に固定されることなく、このため支持フレーム２３はバックフレーム２４に対応してｘ方向上を移動し、ここから支持フレーム２３がバックフレーム２４に対応してｘ方向の右上に移動した後、形成される空間をプリント基板４０はフレキシブル回路基板３０に沿って折れ曲がるために供する。
【００３５】
図１に開示するように、液晶パネル１０とバックライトモジュール２０との固定を実現させるために、液晶表示装置は外フレーム７０をさらに含む。外フレーム７０のフレーム側部７１は液晶パネル１０をバックライトモジュール２０上に押圧し、かつ外フレーム７０の側壁７２とバックライトモジュール２０の支持フレーム２３の側壁２３１とが、例えばねじ釘を螺着して固定され、ここから液晶パネル１０とバックライトモジュール２０とが固定され、組み合わさって液晶表示装置を構成する。
【００３６】
実施例においては、バックフレームの外側に支持フレームを追加し、バックフレームの支持フレームとの間に収納チャンバーを形成して倍増するフレキシブル回路基板とプリント基板とを収納し、液晶表示装置の高画質の表示を実現すると同時に、液晶表装置の機械的な信用度を高める。
【実施例２】
【００３７】
第２の実施例については、実施例１と異なる点のみを開示し、実施例１と同様の内容については詳述しない。図３は、この発明の第２の実施例による液晶表示装置の構造を示した説明図である。
【００３８】
図３に開示するように、実施例２の実施例１と異なる点は、液晶パネル１０とバックライトモジュール２０との固定を実現するために、液晶表示装置が外フレーム７０をさらに含み。外フレーム７０の側壁７２に係合孔７２１を形成し、かつ支持フレーム２３の側壁２３１の係合孔７２１に対応する位置に係合フック２３１１を形成した点である。係る構成によって係合フック２３１１と係合孔７２１とが係合して接続し、固定され、外フレーム７０の側壁７２と支持フレーム２３の側壁２３１とが接続し、固定する。ここから液晶表示パネル１０とバックライトモジュール２０とが固定され、組み合わさって液晶表示装置を構成する。
【実施例３】
【００３９】
図４は、この発明の第３の実施例による液晶表示装置の構造を示した説明図である。
【００４０】
図４に開示するように、実施例３の実施例１と異なる点は、倍増するフレキシブル回路基板３０と、フレキシブル回路基板３０に接続する回路基板を収納するために、この発明の実施例３のバックライライトモジュール２０が、支持フレーム２３をさらに含む点にある。バックフレーム２４は支持フレーム２３上に設けられ、かつ支持フレーム２３に接続して固定され、支持フレーム２３の底板２３２のバックフレーム２４の側壁２４１に近接した部分がバックフレーム２４の底板２４２から離れる方向（図面に開示するｙの方向と逆の方向）に沿って凸起して収納チャンバー５０を形成する。収納チャンバー５０は倍増するフレキシブル回路基板３０とプリント基板４０を収納するために用いる。
【００４１】
また、収納チャンバー５０はバックフレーム２４の底板２４２と、支持フレーム２３の底板２３２との間に形成される。取付けの便宜を図るために、実施例においては、フレーム２７の側壁２７１の端縁部に図１に開示する支持テーブル２７２を設ける。
【実施例４】
【００４２】
図５は、この発明の第４の実施例による液晶表示装置の構造を示した説明図である。
【００４３】
図４に開示するように、実施例３の実施例１と異なる点は、倍増するフレキシブル回路基板３０と、フレキシブル回路基板３０に接続する回路基板を収納するために、この発明の実施例３のバックライライトモジュール２０が、支持フレーム２３をさらに含む点にある。バックフレーム２４は支持フレーム２３上に設けられ、かつ支持フレーム２３に接続して固定され、支持フレーム２３の底板２３２のバックフレーム２４の側壁２４１に近接した部分がバックフレーム２４の底板２４２から離れる方向（図面に開示するｙの方向と逆の方向）に沿って凸起して収納チャンバー５０を形成する。収納チャンバー５０は倍増する不歴史物回路基板３０とプリント基板４０を収納するために用いる。
【００４４】
また、収納チャンバー５０はバックフレーム２４の底板２４２と、支持フレーム２３の底板２３２との間に形成される。取付けの便宜を図るために、実施例においては、フレーム２７の側壁２７１の端縁部に図１に開示する支持テーブル２７２を設ける。
【００４５】
液晶パネル１０とバックライトモジュール２０との固定を実現させるために、液晶表示装置は外フレーム７０をさらに含む。外フレーム７０のフレーム側部７１は液晶パネル１０をバックライトモジュール２０上に押圧する。外フレーム７０の側壁７２には係合孔７２１を形成し、かつ支持フレーム２３の側壁２３１の係合孔７２１に対応する位置に係合フック２３１１を形成する。係る構成によって係合フック２３１１と係合孔７２１とが係合して接続し、固定され、外フレーム７０の側壁７２と支持フレーム２３の側壁２３１とが接続し、固定する。ここから液晶表示パネル１０とバックライトモジュール２０とが固定され、組み合わさって液晶表示装置を構成する。
【００４６】
以上はこの発明の具体的な例を挙げ説明するための実施例であるが、この発明の特許請求の範囲に限定されるこの発明の精神と範囲を離れないという情況下にあって、形式上、もしくは細部に関する変更を行うことができることは、当業者の理解し得るところである。
【符号の説明】
【００４７】
１０       液晶パネル
２０       バックライトモジュール
２１       導光板
２１１     光線入射面
２１２     出光面
２１３     底面
２２       光源ユニット
２３       支持フレーム
２３１     側壁
２３１１   係合フック
２３２     底板
２３３     第２貫通孔
２３４     第１貫通孔
２４       バックフレーム
２４１     側壁
２４２     底板
２４３     固定孔
２４４     接続孔
２５       リフレクタ
２６       光学フィルム
２７       フレーム
２７１     側壁
２７２     支持テーブル
３０       フレキシブル回路基板
４０       プリント基板
５０       収納チャンバー
６０       可動接続部材
６１       前部
６２       中間部
６３       頭部
７０       外フレーム
７１       フレーム側部
７２       側壁  
７２１     係合孔
８０       固定部材
【図１】
2016539453.tif 000003
【図２】
2016539453.tif 000004
【図３】
2016539453.tif 000005
【図４】
2016539453.tif 000006
【図５】
2016539453.tif 000007
【国際調査報告】
2016539453.tif 000008
2016539453.tif 000009
2016539453.tif 000010
2016539453.tif 000011